(57)【要約】      （修正有）【課題】反流によるクロストークを防止することができる、信号干渉の遮断が可能なコネクタを提供する。【解決手段】絶縁本体と、前記絶縁本体に設けられるＵＳＢ２．０の信号端子とＵＳＢ３．０の接地端子とＵＳＢ３．０の第１信号伝達端子とＵＳＢ３．０の第２信号伝達端子と、前開口と、前記絶縁本体及び前記ＵＳＢ２．０の信号端子とＵＳＢ３．０の接地端子とＵＳＢ３．０の第１信号伝達端子とＵＳＢ３．０の第２信号伝達端子とを収容する収容室４００と、背面プレート４２と、該背面プレートに穿設され、背面から見たとき、隣り合うＵＳＢ３．０の第１信号伝達端子とＵＳＢ３．０の第２信号伝達端子の間に位置する少なくとも１筋の溝と、を有すると共に、前記絶縁本体及び前記ＵＳＢ２．０の信号端子とＵＳＢ３．０の接地端子とＵＳＢ３．０の第１信号伝達端子とＵＳＢ３．０の第２信号伝達端子とを被包するカバー部材４０と、を有することを特徴とする。【選択図】図１
2010257926.tif 000002
【特許請求の範囲】
【請求項１】
絶縁本体と、
前記絶縁本体に設けられるＵＳＢ２．０の信号端子と、
前記絶縁本体に設けられるＵＳＢ３．０の接地端子と、
前記絶縁本体に設けられるＵＳＢ３．０の第１信号伝達端子と、
前記絶縁本体に設けられるＵＳＢ３．０の第２信号伝達端子と、
前開口と、前記絶縁本体及び前記ＵＳＢ２．０の信号端子とＵＳＢ３．０の接地端子とＵＳＢ３．０の第１信号伝達端子とＵＳＢ３．０の第２信号伝達端子とを収容する収容室と、背面プレートと、該背面プレートに穿設され、背面から見たとき、隣り合うＵＳＢ３．０の第１信号伝達端子とＵＳＢ３．０の第２信号伝達端子の間に位置する少なくとも１筋の溝と、を有すると共に、前記絶縁本体及び前記ＵＳＢ２．０の信号端子とＵＳＢ３．０の接地端子とＵＳＢ３．０の第１信号伝達端子とＵＳＢ３．０の第２信号伝達端子とを被包するカバー部材と、
を有することを特徴とする信号干渉の遮断が可能なコネクタ。
【請求項２】
前記ＵＳＢ２．０の信号端子とＵＳＢ３．０の接地端子とＵＳＢ３．０の第１信号伝達端子とＵＳＢ３．０の第２信号伝達端子とは、夫々、前記絶縁本体の内部に設けられる固定部と、該固定部から下方へ向かって延出すると共に、該絶縁本体の背面から露出する半田付け部と、該固定部から前方へ向かって延出すると共に、該絶縁本体の外部に露出する電気接触部とを有し、
背面から前記カバー部材を見たとき、前記溝は、前記ＵＳＢ３．０の第１信号伝達端子の半田付け部とＵＳＢ３．０の第２信号伝達端子の半田付け部の間に位置することを特徴とする請求項１に記載の信号干渉の遮断が可能なコネクタ。
【請求項３】
前記カバー部材の背面プレートは、上縁部と下縁部とを有し、
前記溝は、該下縁部と隣接すると共に、下開口を有することを特徴とする請求項１に記載の信号干渉の遮断が可能なコネクタ。
【請求項４】
前記カバー部材の溝の高さが前記背面プレートの高さより小さいことを特徴とする請求項１に記載の信号干渉の遮断が可能なコネクタ。
【請求項５】
前記カバー部材の溝の高さが溝の幅より大きいことを特徴とする請求項１に記載の信号干渉の遮断が可能なコネクタ。
【請求項６】
背面から前記カバー部材を見たとき、前記溝は、前記ＵＳＢ３．０の第１信号伝達端子とＵＳＢ３．０の第２信号伝達端子との間に位置することを特徴とする請求項１に記載の信号干渉の遮断が可能なコネクタ。
【請求項７】
前記絶縁本体は、固定座と、該固定座から前方へ向かって延出する舌部材と、該固定座を貫通し、前記ＵＳＢ２．０の信号端子を収容する複数の第１端子孔と、該固定座及び舌部材を貫通し、前記ＵＳＢ３．０の接地端子とＵＳＢ３．０の第１信号伝達端子とＵＳＢ３．０の第２信号伝達端子とを収容する複数の第２端子孔とを有することを特徴とする請求項６に記載の信号干渉の遮断が可能なコネクタ。
【請求項８】
前記絶縁本体の下部に設置される端子位置決め部材と、
前記ＵＳＢ２．０の信号端子とＵＳＢ３．０の接地端子とＵＳＢ３．０の第１信号伝達端子とＵＳＢ３．０の第２信号伝達端子の半田付け部を収容し位置決めするために、前記端子位置決め部材を貫通してなる複数の位置決め孔とを有することを特徴とする請求項１に記載の信号干渉の遮断が可能なコネクタ。
【請求項９】
前記カバー部材は、上面プレートと、２枚の側面プレートと、底面プレートとを有し、
前記背面プレートは、前記上面プレートの後端から下方へ向かって延出し、
前記２枚の側面プレートは夫々、前記上面プレートの両側から下方へ向かって延出し、
前記底面プレートは、前記２枚の側面プレートの底辺を連結するように設けられることを特徴とする請求項１に記載の信号干渉の遮断が可能なコネクタ。
【請求項１０】
絶縁本体と、
前記絶縁本体に設けられるＵＳＢ２．０の信号端子と、
前記絶縁本体に設けられるＵＳＢ３．０の接地端子と、
前記絶縁本体に設けられるＵＳＢ３．０の第１信号伝達端子と、
前記絶縁本体に設けられるＵＳＢ３．０の第２信号伝達端子と、
前開口と、前記絶縁本体及び前記ＵＳＢ２．０の信号端子とＵＳＢ３．０の接地端子とＵＳＢ３．０の第１信号伝達端子とＵＳＢ３．０の第２信号伝達端子とを収容する収容室と、背面プレートと、該背面プレートに穿設され、背面から見たとき、隣り合うＵＳＢ３．０の第１信号伝達端子とＵＳＢ３．０の第２信号伝達端子の間に位置する少なくとも１筋の溝と、を有すると共に、前記絶縁本体及び前記ＵＳＢ２．０の信号端子とＵＳＢ３．０の接地端子とＵＳＢ３．０の第１信号伝達端子とＵＳＢ３．０の第２信号伝達端子とを被包するカバー部材と、を有し、
前記ＵＳＢ２．０の信号端子とＵＳＢ３．０の接地端子とＵＳＢ３．０の第１信号伝達端子とＵＳＢ３．０の第２信号伝達端子とは、夫々、前記絶縁本体の内部に設けられる固定部と、該固定部から下方へ向かって延出すると共に、該絶縁本体の背面から露出する半田付け部と、該固定部から前方へ向かって延出すると共に、該絶縁本体の外部に露出する電気接触部とを有し、
背面から前記カバー部材を見たとき、前記溝は、前記ＵＳＢ３．０の第１信号伝達端子の半田付け部とＵＳＢ３．０の第２信号伝達端子の半田付け部の間に位置し、
前記カバー部材の背面プレートは、上縁部と、下縁部とを有し、
前記溝は、前記下縁部と隣接すると共に、下開口を有し、
前記カバー部材の溝の高さは、前記背面プレートの高さより小さく、
前記カバー部材の溝の高さは、溝の幅より大きく、
背面から前記カバー部材を見たとき、前記溝は、前記ＵＳＢ３．０の第１信号伝達端子とＵＳＢ３．０の第２信号伝達端子との間に位置することを特徴とする信号干渉の遮断が可能なコネクタ。
【発明の詳細な説明】
【技術分野】
【０００１】
本発明は、特に２対の信号伝達端子の間にカバー部材の溝を形成することにより、該２対の信号伝達端子のカバー部材における反流（Return Current）によるクロストーク（Crosstalk）を防止することができる、信号干渉の遮断が可能なコネクタに関するものである。
【背景技術】
【０００２】
現在の各種電子機器の殆どは、他の電子機器と接続して互いに情報を伝達するためのコネクタが設けられ、現在最も普及しているコネクタは、ユニバーサル・シリアル・バス（Universal Serial Bus, USB）２．０の規格のものである。
【０００３】
近年、電子機器の急速な進歩に伴ない、より高速な信号伝達速度が要求されていることから、より高速な信号伝達速度に対応するために、前記コネクタの規格もより高速に対応できるよう、開発が続けられている。
【０００４】
非特許文献１に示すように、例えば、１対の信号伝達端子により信号伝達する設計であるＵＳＢ２．０など規格は、現在の高速アクセス用電子機器に対応しきれなくなっているので、ＵＳＢ協会は、複数対の信号伝達端子を有する設計であるＵＳＢ３．０を開発した。
【発明の概要】
【発明が解決しようとする課題】
【０００５】
しかしながら、複数対の信号伝達端子により通信する時、互いの反流がコネクタにおける金属のカバー部材にクロストークの現象が起こるので、通信効率の低下や通信の失敗がよく発生していた。
【０００６】
そこで、出願されたのが本発明であって、２対の信号伝達端子の間にカバー部材の溝を形成することにより、該２対の信号伝達端子のカバー部材における反流によるクロストークを防止することができる、信号干渉の遮断が可能なコネクタを提供することを目的としている。
【課題を解決するための手段】
【０００７】
本願の請求項１の発明は、絶縁本体と、
前記絶縁本体に設けられるＵＳＢ２．０の信号端子と、
前記絶縁本体に設けられるＵＳＢ３．０の接地端子と、
前記絶縁本体に設けられるＵＳＢ３．０の第１信号伝達端子と、
前記絶縁本体に設けられるＵＳＢ３．０の第２信号伝達端子と、
前開口と、前記絶縁本体及び前記ＵＳＢ２．０の信号端子とＵＳＢ３．０の接地端子とＵＳＢ３．０の第１信号伝達端子とＵＳＢ３．０の第２信号伝達端子とを収容する収容室と、背面プレートと、該背面プレートに穿設され、背面から見たとき、隣り合うＵＳＢ３．０の第１信号伝達端子とＵＳＢ３．０の第２信号伝達端子の間に位置する少なくとも１筋の溝と、を有すると共に、前記絶縁本体及び前記ＵＳＢ２．０の信号端子とＵＳＢ３．０の接地端子とＵＳＢ３．０の第１信号伝達端子とＵＳＢ３．０の第２信号伝達端子とを被包するカバー部材と、
を有することを特徴とする信号干渉の遮断が可能なコネクタ、を提供する。
【０００８】
本願の請求項２の発明は、前記ＵＳＢ２．０の信号端子とＵＳＢ３．０の接地端子とＵＳＢ３．０の第１信号伝達端子とＵＳＢ３．０の第２信号伝達端子とは、夫々、前記絶縁本体の内部に設けられる固定部と、該固定部から下方へ向かって延出すると共に、該絶縁本体の背面から露出する半田付け部と、該固定部から前方へ向かって延出すると共に、該絶縁本体の外部に露出する電気接触部とを有し、
背面から前記カバー部材を見たとき、前記溝は、前記ＵＳＢ３．０の第１信号伝達端子の半田付け部とＵＳＢ３．０の第２信号伝達端子の半田付け部の間に位置することを特徴とする請求項１に記載の信号干渉の遮断が可能なコネクタ、を提供する。
【０００９】
本願の請求項３の発明は、前記カバー部材の背面プレートは、上縁部と下縁部とを有し、
前記溝は、該下縁部と隣接すると共に、下開口を有することを特徴とする請求項１に記載の信号干渉の遮断が可能なコネクタ、を提供する。
【００１０】
本願の請求項４の発明は、前記カバー部材の溝の高さが前記背面プレートの高さより小さいことを特徴とする請求項１に記載の信号干渉の遮断が可能なコネクタ、を提供する。
【００１１】
本願の請求項５の発明は、前記カバー部材の溝の高さが溝の幅より大きいことを特徴とする請求項１に記載の信号干渉の遮断が可能なコネクタ、を提供する。
【００１２】
本願の請求項６の発明は、背面から前記カバー部材を見たとき、前記溝は、前記ＵＳＢ３．０の第１信号伝達端子とＵＳＢ３．０の第２信号伝達端子との間に位置することを特徴とする請求項１に記載の信号干渉の遮断が可能なコネクタ、を提供する。
【００１３】
本願の請求項７の発明は、前記絶縁本体は、固定座と、該固定座から前方へ向かって延出する舌部材と、該固定座を貫通し、前記ＵＳＢ２．０の信号端子を収容する複数の第１端子孔と、該固定座及び舌部材を貫通し、前記ＵＳＢ３．０の接地端子とＵＳＢ３．０の第１信号伝達端子とＵＳＢ３．０の第２信号伝達端子とを収容する複数の第２端子孔とを有することを特徴とする請求項６に記載の信号干渉の遮断が可能なコネクタ、を提供する。
【００１４】
本願の請求項８の発明は、前記絶縁本体の下部に設置される端子位置決め部材と、
前記ＵＳＢ２．０の信号端子とＵＳＢ３．０の接地端子とＵＳＢ３．０の第１信号伝達端子とＵＳＢ３．０の第２信号伝達端子の半田付け部を収容し位置決めするために、前記端子位置決め部材を貫通してなる複数の位置決め孔とを有することを特徴とする請求項１に記載の信号干渉の遮断が可能なコネクタ、を提供する。
【００１５】
本願の請求項９の発明は、前記カバー部材は、上面プレートと、２枚の側面プレートと、底面プレートとを有し、
前記背面プレートは、前記上面プレートの後端から下方へ向かって延出し、
前記２枚の側面プレートは夫々、前記上面プレートの両側から下方へ向かって延出し、
前記底面プレートは、前記２枚の側面プレートの底辺を連結するように設けられることを特徴とする請求項１に記載の信号干渉の遮断が可能なコネクタ、を提供する。
【００１６】
本願の請求項１０の発明は、絶縁本体と、
前記絶縁本体に設けられるＵＳＢ２．０の信号端子と、
前記絶縁本体に設けられるＵＳＢ３．０の接地端子と、
前記絶縁本体に設けられるＵＳＢ３．０の第１信号伝達端子と、
前記絶縁本体に設けられるＵＳＢ３．０の第２信号伝達端子と、
前開口と、前記絶縁本体及び前記ＵＳＢ２．０の信号端子とＵＳＢ３．０の接地端子とＵＳＢ３．０の第１信号伝達端子とＵＳＢ３．０の第２信号伝達端子とを収容する収容室と、背面プレートと、該背面プレートに穿設され、背面から見たとき、隣り合うＵＳＢ３．０の第１信号伝達端子とＵＳＢ３．０の第２信号伝達端子の間に位置する少なくとも１筋の溝と、を有すると共に、前記絶縁本体及び前記ＵＳＢ２．０の信号端子とＵＳＢ３．０の接地端子とＵＳＢ３．０の第１信号伝達端子とＵＳＢ３．０の第２信号伝達端子とを被包するカバー部材と、を有し、
前記ＵＳＢ２．０の信号端子とＵＳＢ３．０の接地端子とＵＳＢ３．０の第１信号伝達端子とＵＳＢ３．０の第２信号伝達端子とは、夫々、前記絶縁本体の内部に設けられる固定部と、該固定部から下方へ向かって延出すると共に、該絶縁本体の背面から露出する半田付け部と、該固定部から前方へ向かって延出すると共に、該絶縁本体の外部に露出する電気接触部とを有し、
背面から前記カバー部材を見たとき、前記溝は、前記ＵＳＢ３．０の第１信号伝達端子の半田付け部とＵＳＢ３．０の第２信号伝達端子の半田付け部の間に位置し、
前記カバー部材の背面プレートは、上縁部と、下縁部とを有し、
前記溝は、前記下縁部と隣接すると共に、下開口を有し、
前記カバー部材の溝の高さは、前記背面プレートの高さより小さく、
前記カバー部材の溝の高さは、溝の幅より大きく、
背面から前記カバー部材を見たとき、前記溝は、前記ＵＳＢ３．０の第１信号伝達端子とＵＳＢ３．０の第２信号伝達端子との間に位置することを特徴とする信号干渉の遮断が可能なコネクタ、を提供する。
【発明の効果】
【００１７】
本発明は上記の課題を解決するものであり、主に反流によるクロストークを防止することができる。
【図面の簡単な説明】
【００１８】
【図１】本発明に係る信号干渉の遮断が可能なコネクタの右正面上方から見た斜視図である。
【図２】本発明に係る信号干渉の遮断が可能なコネクタの右正面下方から見た斜視図である。
【図３】本発明に係る信号干渉の遮断が可能なコネクタの右背面上方から見た斜視図である。
【図４】本発明に係る信号干渉の遮断が可能なコネクタの右正面上方から見た分解斜視図である。
【図５】本発明に係る信号干渉の遮断が可能なコネクタの右背面上方から見た分解斜視図である。
【図６】本発明に係る信号干渉の遮断が可能なコネクタの背面図である。
【図７】本発明に係る信号干渉の遮断が可能なコネクタの右側面断面図である。
【図８】本発明に係る信号干渉の遮断が可能なコネクタの他の右側面断面図である。
【図９】周波数に対する本発明に係る信号干渉の遮断が可能なコネクタの信号散乱強度及び従来のコネクタの信号散乱強度を示すグラフである。
【発明を実施するための形態】
【００１９】
以下、添付図面を参照して本発明の好適な実施の形態を詳細に説明する。
【００２０】
図１は本発明に係る信号干渉の遮断が可能なコネクタの右正面上方から見た斜視図であり、図２は本発明に係る信号干渉の遮断が可能なコネクタの右正面下方から見た斜視図であり、図３は本発明に係る信号干渉の遮断が可能なコネクタの右背面上方から見た斜視図であり、図４は本発明に係る信号干渉の遮断が可能なコネクタの右正面上方から見た分解斜視図であり、図５は本発明に係る信号干渉の遮断が可能なコネクタの右背面上方から見た分解斜視図であり、図６は本発明に係る信号干渉の遮断が可能なコネクタの背面図であり、図７は本発明に係る信号干渉の遮断が可能なコネクタの右側面断面図であり、図８は本発明に係る信号干渉の遮断が可能なコネクタの他の右側面断面図であり、図９は周波数に対する本発明に係る信号干渉の遮断が可能なコネクタの信号散乱強度及び従来のコネクタの信号散乱強度を示すグラフである。
【００２１】
図１乃至図５に示すように、本発明に係る信号干渉の遮断が可能なコネクタは、ＵＳＢ３．０の規格に符合するコネクタである。
【００２２】
本発明に係る信号干渉の遮断が可能なコネクタは、絶縁本体（１０）と、ＵＳＢ２．０の信号端子（２０）と、ＵＳＢ３．０の接地端子（３０）と、ＵＳＢ３．０の第１信号伝達端子（３０Ａ）と、ＵＳＢ３．０の第２信号伝達端子（３０Ｂ）と、カバー部材（４０）と、端子位置決め部材（５０）とを有するものである。
【００２３】
図７及び図８に示すように、絶縁本体（１０）は、固定座（１１）と、該固定座（１１）から前方へ向かって延出する舌部材（１２）と、該固定座（１１）を貫通する複数の第１端子孔（１４）と、該固定座（１１）及び舌部材（１２）を貫通する複数の第２端子孔（１６）とを有するものである。
【００２４】
前記ＵＳＢ２．０の信号端子（２０）とＵＳＢ３．０の接地端子（３０）とＵＳＢ３．０の第１信号伝達端子（３０Ａ）とＵＳＢ３．０の第２信号伝達端子（３０Ｂ）とは、前記絶縁本体（１０）に設けられるものである。
【００２５】
前記ＵＳＢ２．０の信号端子（２０）とＵＳＢ３．０の接地端子（３０）とＵＳＢ３．０の第１信号伝達端子（３０Ａ）とＵＳＢ３．０の第２信号伝達端子（３０Ｂ）とは、前記絶縁本体（１０）における何れか１つの端子孔（１４）（１６）に設けられる固定部（２１）（３１）と、該固定部（２１）（３１）から下方へ向かって延出すると共に、該絶縁本体（１０）の固定座（１１）の背面から露出する半田付け部（２２）（３２）と、該固定部（２１）（３１）から前方へ向かって延出し、前記舌部材（１２）の底面に設けられると共に、該絶縁本体（１０）の外部に露出する電気接触部（２３）（３３）とを有するものである。
【００２６】
また、信号伝達に関する規格により、前記ＵＳＢ２．０の信号端子（２０）は、ＵＳＢ２．０の規格に符合する端子であり、ＵＳＢ３．０の接地端子（３０）とＵＳＢ３．０の第１信号伝達端子（３０Ａ）とＵＳＢ３．０の第２信号伝達端子（３０Ｂ）とは、ＵＳＢ３．０の規格に符合する端子である。
【００２７】
尚、前記ＵＳＢ２．０の信号端子（２０）は、並列に配置されると共に、前記第１端子孔（１４）に収容される４本の端子からなるものであってもよい。
【００２８】
一方、前記ＵＳＢ３．０の接地端子（３０）とＵＳＢ３．０の第１信号伝達端子（３０Ａ）とＵＳＢ３．０の第２信号伝達端子（３０Ｂ）は、並列に配列されると共に、夫々前記第２端子孔（１６）に収容され、１対のＵＳＢ３．０の第１信号伝達端子（３０Ａ）と、１対のＵＳＢ３．０の第２信号伝達端子（３０Ｂ）と、１本のＵＳＢ３．０の接地端子（３０）とからなるものである。前記１対のＵＳＢ３．０の第１信号伝達端子（３０Ａ）は、プラス信号及びマイナス信号を送信するための信号送信端子（Super-Speed Transmitter Differential Terminal）であり、前記１対のＵＳＢ３．０の第２信号伝達端子（３０Ｂ）は、プラス信号及びマイナス信号を受信するための信号受信端子（Super-Speed Receiver Differential Terminal）である。また、前記１本の接地端子（３０）は、前記１対のＵＳＢ３．０の第１信号伝達端子（３０Ａ）と１対のＵＳＢ３．０の第２信号伝達端子（３０Ｂ）の間に設けられることが好ましい。
【００２９】
前記カバー部材（４０）は、金属からなることが好ましく、前開口と、前記絶縁本体（１０）及びＵＳＢ２．０の信号端子（２０）とＵＳＢ３．０の接地端子（３０）とＵＳＢ３．０の第１信号伝達端子（３０Ａ）とＵＳＢ３．０の第２信号伝達端子（３０Ｂ）とを収容する収容室（４００）と、上面プレート（４１）と、背面プレート（４２）と、２枚の側面プレート（４３）と、底面プレート（４４）とを有するものであり、該収容室（４００）は、プラグを挿入するプラグ座である。
【００３０】
図６に示すように、背面プレート（４２）は、上面プレート（４１）の後端から下方へ向かって延出し、カバー部材（４０）は、該背面プレート（４２）に穿設されると共に、背面から見たとき、夫々隣り合うＵＳＢ３．０の第１信号伝達端子（３０Ａ）とＵＳＢ３．０の第２信号伝達端子（３０Ｂ）との間に位置する少なくとも１筋の溝（４２５）を有する。
【００３１】
そして、前記カバー部材（４０）を背面から見たとき、前記溝（４２５）は、隣り合うＵＳＢ３．０の第１信号伝達端子（３０Ａ）とＵＳＢ３．０の第２信号伝達端子（３０Ｂ）の半田付け部（２２）（３２）の間に位置し、具体的には、背面から該カバー部材（４０）を見た時、該溝（４２５）は、ＵＳＢ３．０の第１信号伝達端子（３０Ａ）とＵＳＢ３．０の第２信号伝達端子（３０Ｂ）との間に位置する構成を有する。
【００３２】
更に、前記カバー部材（４０）の背面プレート（４２）は、上縁部（４２１）と、下縁部（４２２）とを有し、
前記溝（４２５）は、前記下縁部（４２２）と隣接すると共に、下開口（４２５０）を有し、
尚、前記カバー部材（４０）の溝（４２５）の高さは、前記背面プレート（４２）の高さより小さいと共に、溝（４２５）の幅より大きく構成されることが好ましい。
【００３３】
また、本実施例において、前記２枚の側面プレート（４３）は夫々、前記上面プレート（４１）の両側から下方へ向かって延出すると共に、前記底面プレート（４４）は、該２枚の側面プレート（４３）の底辺を連結し、該底面プレート（４４）と２枚の側面プレート（４３）とは、係合部材により結合される。
【００３４】
前記端子位置決め部材（５０）は、前記絶縁本体（１０）の下部に設けられ、本発明に係る信号干渉の遮断が可能なコネクタにおいてはさらに、前記ＵＳＢ２．０の信号端子（２０）とＵＳＢ３．０の接地端子（３０）とＵＳＢ３．０の第１信号伝達端子（３０Ａ）とＵＳＢ３．０の第２信号伝達端子（３０Ｂ）の半田付け部（２２）（３２）を収容し位置決めする該端子位置決め部材（５０）を貫通してなる複数の位置決め孔（５２）（５３）を有する。
【００３５】
図９は、周波数に対する、溝（４２５）を有する本発明に係る信号干渉の遮断が可能なコネクタの信号散乱強度と、該溝（４２５）を有しない従来のコネクタの信号散乱強度とを測定した結果を示すグラフであり、そのうち縦軸は、信号散乱強度を示したものであり、横軸は、周波数を示したものである。また、ＵＳＢ協会の規格に合ったＵＳＢ３．０コネクタは、０〜２．５ＧＨｚの周波数の範囲においての信号散乱強度は−３２ｄＢ以下であり、５〜７ＧＨｚの周波数範囲においての信号散乱強度は−２５ｄＢ以下でなければならない。更に、図９に示すように、本発明に係る信号干渉の遮断が可能なコネクタは、信号散乱強度のｄＢレベルが、従来のコネクタの信号散乱強度よりも低いだけでなく、従来の接続装置と比べ、オシレイションも小さいことから、従来のコネクタより信号伝達効率及び信号伝達安定度に優れているので、異なる信号伝達端子同士のクロストークを有効に抑止することができる。
【産業上の利用可能性】
【００３６】
本発明は上記の構成を有するので、カバー部材に設けられ、隣り合うＵＳＢ３．０の第１信号伝達端子（３０Ａ）とＵＳＢ３．０の第２信号伝達端子（３０Ｂ）の間の溝により、該ＵＳＢ３．０の第１信号伝達端子（３０Ａ）とＵＳＢ３．０の第２信号伝達端子（３０Ｂ）の反流のクロストークを防止し、信号干渉を遮断することができるので、安定的に信号を伝達することができる。
【符号の説明】
【００３７】
１０ 絶縁本体
１１ 固定座
１２ 舌部材
１４ 第１端子孔
１６ 第２端子孔
２０ ＵＳＢ２．０の信号端子
２１ 固定部
２２ 半田付け部
２３ 電気接触部
３０ ＵＳＢ３．０の接地端子
３０Ａ ＵＳＢ３．０の第１信号伝達端子
３０Ｂ ＵＳＢ３．０の第２信号伝達端子
３１ 固定部
３２ 半田付け部
３３ 電気接触部
４０ カバー部材
４００ 収容室
４１ 上面プレート
４２ 背面プレート
４２１ 上縁部
４２２ 下縁部
４２５ 溝
４２５０ 下開口
４３ 側面プレート
４４ 底面プレート
５０ 端子位置決め部材
５２ 位置決め孔
５３ 位置決め孔
【先行技術文献】
【非特許文献】
【００３８】
【非特許文献１】http://www.usb.org/developers/docs/に掲載され、「Universal Serial Bus Revision 3.0 Specification」を題としたzipファイル（usb_30_spec_052109.zip）に含まれたECN 002 _CabCon-1_.pdf。
【図１】
2010257926.tif 000003
【図２】
2010257926.tif 000004
【図３】
2010257926.tif 000005
【図４】
2010257926.tif 000006
【図５】
2010257926.tif 000007
【図６】
2010257926.tif 000008
【図７】
2010257926.tif 000009
【図８】
2010257926.tif 000010
【図９】
2010257926.tif 000011